(57)【要約】【課題】複数枚の原稿を複写する場合、原稿読取、プレビュー画像表示、印刷を並列的に行い、原稿の読取開始から印刷完了までに要する時間を短くする。【解決手段】画像形成装置は、原稿を読み取り画像データを生成する画像読取部と、画像読取部の読み取り位置に向け、原稿を一枚ずつ搬送する原稿搬送部と、画像読取部が生成した画像データに基づき画像を形成する画像形成部と、画像読取部が生成した画像データに基づき、複数のプレビュー画像を表示するとともに、原稿の複写に関する設定を受け付ける表示入力部と、を有し、表示入力部は、全ての原稿の読み取りを完了する前に、読み取られたページ順にプレビュー画像を表示し、画像形成部は、全ての原稿の読み取りを完了する前かつ全ページ分のプレビュー画像を表示する前に、画像形成を行う。【選択図】図７
2011114845.tif 000002
【特許請求の範囲】
【請求項１】
原稿を読み取り、原稿の画像データを生成する画像読取部と、
原稿の束が載置されるとともに、前記画像読取部の読み取り位置に向け、原稿を一枚ずつ搬送する原稿搬送部と、
前記画像読取部が生成した画像データに基づき画像を形成する画像形成部と、
前記画像読取部が生成した画像データに基づき、複数のプレビュー画像を表示するとともに、原稿の複写に関する設定を受け付ける表示入力部と、を有し、
前記表示入力部は、全ての原稿の読み取りを完了する前に、全ページ分のプレビュー画像のうち、読み取られたページ順に前記プレビュー画像を表示し、
前記画像形成部は、全ての原稿の読み取りを完了する前かつ全ページ分のプレビュー画像を表示する前に、画像形成を開始することを特徴とする画像形成装置。
【請求項２】
前記表示入力部は、前記画像読取部が読み取った原稿と読み取っている原稿を示す第１の画像を原稿の複数ページ分、読取順に並列して表示するとともに、前記第１の画像を指定する入力を原稿の読取中止の指示として受け付け、
前記読取中止の指示がなされた場合、前記画像読取部は、原稿読取を中止することを特徴とする請求項１に記載の画像形成装置。
【請求項３】
前記表示入力部は、読取順に並列して表示した複数の前記第１の画像のうち、先に読み取られた前記第１の画像から消してゆくことを特徴とする請求項２記載の画像形成装置。
【請求項４】
前記表示入力部は、前記画像読取部が読み取った原稿を示す前記第１の画像と読み取っている原稿を示す前記第１の画像の形状を異ならせることを特徴とする請求項２又は３に記載の画像形成装置。
【請求項５】
前記表示入力部は、前記画像読取部が読み取った原稿の前記第１の画像を矩形で表示し、前記第１の画像と読み取っている原稿を示す前記第１の画像を、読み取りが進むごとに矩形に近づくように形状を変化させてゆくことを特徴とする請求項４に記載の画像形成装置。
【請求項６】
前記表示入力部は、少なくとも、印刷を行っているページと、これから印刷を行おうとするページを示す第２の画像を複数ページ分、印刷順に並列して表示するとともに、前記第２の画像を指定する入力を印刷中止の指示として受け付け、
前記印刷中止の指示がなされたページについては、前記画像形成部は、印刷を行わないことを特徴とする請求項１乃至５のいずれか１項に記載の画像形成装置。
【請求項７】
前記表示入力部は、前記第２の画像を複数指定する入力を受け付けることを特徴とする請求項６記載の画像形成装置。
【請求項８】
前記表示入力部は、印刷が完了したページの前記第２の画像の表示を消すことを特徴とする請求項６又は７記載の画像形成装置。
【請求項９】
前記表示入力部は、印刷を行っているページを示す前記第２画像と、これから印刷を行おうとするページを示す前記第２の画像の形状を異ならせることを特徴とする請求項６乃至８の何れか１項に記載の画像形成装置。
【請求項１０】
前記表示入力部は、これから印刷を行おうとするページを示す前記第２の画像を矩形で表示し、印刷を行っているページを示す前記第２画像を、印刷が進むごとに形状が小さくなるように形状を変化させてゆくことを特徴とする請求項９に記載の画像形成装置。
【請求項１１】
前記表示入力部は、複数ページ分の前記第１の画像の並列表示と、複数ページ分の前記第２の画像の並列表示を同時に表示することを特徴とする請求項６乃至１０の何れか１項に記載の画像形成装置。
【請求項１２】
前記第１の画像及び前記第２の画像は、前記プレビュー画像であることを特徴とする請求項２乃至１１のいずれか１項に記載の画像形成装置。
【発明の詳細な説明】
【技術分野】
【０００１】
本発明は、スキャナ等の原稿の読取を行う画像読取部と、プレビュー画像を表示する表示部を備えた画像形成装置に関する。
【背景技術】
【０００２】
複写機、複合機、ＦＡＸ装置等は、原稿を読み取り、原稿の画像データを得るための画像読取部を有することがある。例えば、画像読取部は、原稿に対し光を照射するランプを備え、原稿の反射光をイメージセンサに導き画像データを得る。ここで、使用者が、用紙への出力結果（印刷物）の仕上がりを印刷前に確認できるように、操作パネル等の液晶表示部にプレビュー画像を表示する機能が画像形成装置に搭載される場合がある。これにより、例えば、濃度変更等の複写における各種機能の設定結果の印刷前確認等、使用者は、印刷実行前に仕上がりを確認できる。仕上がりが気に入らなければ、読み取り、印刷の設定を再設定する等の対応を取ることができ、無駄な印刷を無くすことができる。
【０００３】
このような、プレビュー画像を表示する機能を有する画像形成装置が特許文献１に記載されている。具体的に、特許文献１には、両面読取モードに際して、原稿の一方の面の先行読み取りを指定する先行指定手段、先行読み取りが指定された場合に原稿の一方の面を先行して昇順に読み取る第１の画像読取手段、この第１の画像読取手段により読み取った画像データに各種設定を施した結果を簡易的に示す第１の仕上がり情報を生成する第１の仕上がり情報生成手段、一方の面が全て読み取られた原稿の他方の面を降順に読み取る第２の画像読取手段、第２の画像読取手段により読み取った原稿の他方の面の画像データに各種設定を施した結果を簡易的に示す第２の仕上がり情報を生成する第２の仕上がり情報生成手段、第１の仕上がり情報および第２の仕上がり情報を合成して原稿の両面を順次読み取った場合に相当する仕上がり情報を生成する合成手段、合成手段により生成した仕上がり情報を表示部に出力する仕上がり情報出力手段を備えた画像形成装置が記載されている。これにより、プレビュー表示に要する時間を短くしようとする（特許文献１：請求項１、段落［００１０］等参照）。
【先行技術文献】
【特許文献】
【０００４】
【特許文献１】特開２００８−１５３８９０
【発明の開示】
【発明が解決しようとする課題】
【０００５】
まず、原稿の読み取りを高速に行えるように、複数枚の原稿が載置され、１枚ずつ画像読取部の読取位置に自動的、連続的に搬送する原稿搬送装置が画像形成装置に設けられることがある。この原稿搬送装置によって、複数ページに及ぶ原稿を迅速に読み取り、印刷することができる（複写）。
【０００６】
従来の画像形成装置では、プレビュー画像を表示したうえで複写を行う場合、まず、全ての原稿が連続的に読み取られる。全原稿の読み取りの完了後、プレビュー画像が表示される。又、プレビュー画像が表示されてから、使用者は、複写に関する各種設定を行う。各種設定後、スタートキーの押下等によって、印刷が開始される。このように、従来、原稿読取、プレビュー画像表示（設定作業を含む）、印刷が直列的に行われる。従って、原稿の読取開始から印刷完了までに要する時間は、長くなるという問題がある。
【０００７】
ここで、特許文献１記載の発明は、両面印刷でのプレビュー画像の表示に関する画像形成装置であるが、原稿の一方の面を昇順で、他方の面を降順で読み取るので（特許文献１：請求項１参照）、１枚目のプレビュー画像が表示されるには、全原稿の両面の読み取りが行われなければならない。即ち、全原稿の両面読取が完了してから全原稿のプレビュー画像が表示される。又、特許文献１では印刷開始時点についての説明はないが、「実際のコピー印刷に先だって・・・目視でその仕上がり情報（プレビュー画像）４０１を確認した後に、必要に応じて設定を変更し、実際の印刷を行うことができる。」とあるので（特許文献１：段落［００６３］参照）、特許文献１記載の発明は、全原稿のプレビュー画像を確認した後、印刷が行われるものと認められる。従って、特許文献１記載の発明では、原稿の読取開始から印刷完了までに要する時間が長くなるという問題に対応できない。
【０００８】
本発明は、上記従来技術の問題点に鑑み、複数枚の原稿を複写する場合、原稿読取、プレビュー画像表示、印刷を並列的に行い、原稿の読取開始から印刷完了までに要する時間を短くすることを課題とする。
【課題を解決するための手段】
【０００９】
上記目的を達成するために、請求項１に係る画像形成装置は、原稿を読み取り、原稿の画像データを生成する画像読取部と、原稿の束が載置されるとともに、前記画像読取部の読み取り位置に向け、原稿を一枚ずつ搬送する原稿搬送部と、前記画像読取部が生成した画像データに基づき画像を形成する画像形成部と、前記画像読取部が生成した画像データに基づき、複数のプレビュー画像を表示するとともに、原稿の複写に関する設定を受け付ける表示入力部と、を有し、前記表示入力部は、全ての原稿の読み取りを完了する前に、全ページ分のプレビュー画像のうち、読み取られたページ順に前記プレビュー画像を表示し、前記画像形成部は、全ての原稿の読み取りを完了する前かつ全ページ分のプレビュー画像を表示する前に、画像形成を開始することとした。
【００１０】
この構成によれば、全ての原稿の読み取りを完了する前に、読み取られたページ順にプレビュー画像が表示され、画像形成部は、全ての原稿の読み取りを完了する前かつ全ページ分のプレビュー画像を表示する前に、画像形成（印刷）を行うので、原稿読取、プレビュー画像の表示、印刷が並列的に行われる。これにより、原稿の読取開始から印刷完了までに要する時間を短くすることができる。従って、複写開始から終了するまでの使用者の待ち時間を減らすことができる。又、１ジョブに要する時間が短くなるので、画像形成装置の実質的な生産性が向上する。
【００１１】
又、請求項２に係る発明は、請求項１の発明において、前記表示入力部は、前記画像読取部が読み取った原稿と読み取っている原稿を示す第１の画像を原稿の複数ページ分、読取順に並列して表示するとともに、前記第１の画像を指定する入力を原稿の読取中止の指示として受け付け、前記読取中止の指示がなされた場合、前記画像読取部は、原稿読取を中止することとした。
【００１２】
原稿読取、プレビュー画像の表示、印刷が並列的に行われるところ、この構成によればプレビュー画像を見ながら印刷でき、しかも、読取中止の指示がなされた場合、画像読取部は、原稿読取を中止する。これにより、必要のない原稿の読取や、必要のない原稿の複写が実行されない。従って、エネルギー、資源の無駄を無くすことができる。
【００１３】
又、請求項３に係る発明は、請求項２の発明において、前記表示入力部は、読取順に並列して表示した複数の前記第１の画像のうち、先に読み取られた前記第１の画像から消してゆくこととした。
【００１４】
表示入力部での表示領域には限界があり、原稿の枚数が多数に及ぶ場合（例えば、十数枚以上）、第１の画像を表示しきれない場合がある。或いは、表示できたとしても、１つの第１の画像が微少となり、視認し難くなる場合がある。しかし、この構成によれば、先に読み取られた第１の画像から消してゆくので、第１の画像は、ある程度の大きさを確保でき、第１の画像を指定する入力を確実に行うことができる。従って、使用者にとっての操作性が高くなる。
【００１５】
又、請求項４に係る発明は、請求項２又は３の発明において、前記表示入力部は、前記画像読取部が読み取った原稿を示す前記第１の画像と読み取っている原稿を示す前記第１の画像の形状を異ならせることとした。
【００１６】
この構成によれば、読み取った原稿と読み取っている原稿とで、第１の画像の形状がことなる。これにより、使用者は、原稿の読み取りの進行状況を容易に把握できる。
【００１７】
又、請求項５に係る発明は、請求項４の発明において、前記表示入力部は、前記画像読取部が読み取った原稿の前記第１の画像を矩形で表示し、読み取っている原稿を示す前記第１の画像を、読み取りが進むごとに矩形に近づくように形状を変化させてゆくこととした
【００１８】
この構成によれば、読み取っている原稿を示す第１の画像は、読み取りが進むごとに矩形に近づくように形状が変化するので、使用者は、原稿の読み取りの進行状況を容易に、詳しく把握できる。
【００１９】
又、請求項６に係る発明は、請求項１乃至５の発明において、前記表示入力部は、少なくとも、印刷を行っているページと、これから印刷を行おうとするページを示す第２の画像を複数ページ分、印刷順に並列して表示するとともに、前記第２の画像を指定する入力を印刷中止の指示として受け付け、前記印刷中止の指示がなされたページについては、前記画像形成部は、印刷を行わないこととした。
【００２０】
原稿読取、プレビュー画像の表示、印刷が並列的に行われるところ、この構成によればプレビュー画像を見ながら印刷でき、しかも、印刷中止の指示がなされたページについては、画像形成部は、印刷を行わない。これにより、必要のないページの複写が実行されない。従って、エネルギー、資源の無駄を無くすことができる。又、印刷するページを飛ばすだけであり、印刷の流れ自体は止めなくてよいので、複写を最後まで完遂することができる。
【００２１】
又、請求項７に係る発明は、請求項６の発明において、前記表示入力部は、前記第２の画像を複数指定する入力を受け付けることとした。
【００２２】
この構成によれば、表示入力部は、第２の画像を複数指定する入力を受け付けるので、複数ページの指定を同時に行うことができる。これにより、使用者は効率よく不要なページを指定することができ、操作性を高めることができる。
【００２３】
又、請求項８に係る発明は、請求項６又は７の発明において、前記表示入力部は、印刷が完了したページの前記第２の画像の表示を消すこととした。
【００２４】
表示入力部での表示領域には限界があり、原稿の枚数が多数に及ぶ場合（例えば、十数枚以上）、第２の画像を表示しきれない場合がある。或いは、表示できたとしても、１つの第２の画像が微少となり、視認し難くなる場合がある。しかし、この構成によれば、印刷が完了したページの第２の画像は消されるので、第２の画像は、ある程度の大きさを確保でき、第２の画像を指定する入力を確実に行うことができる。従って、使用者にとっての操作性が高くなる。
【００２５】
又、請求項９に係る発明は、請求項６乃至８の発明において、前記表示入力部は、印刷を行っているページを示す前記第２画像と、これから印刷を行おうとするページを示す前記第２の画像の形状を異ならせることした。
【００２６】
この構成によれば、印刷中のページと印刷待ちのページとで、第２の画像の形状が異なる。これにより、使用者は、印刷の進行状況を容易に把握できる。
【００２７】
又、請求項１０に係る発明は、請求項９の発明において、前記表示入力部は、これから印刷を行おうとするページを示す前記第２の画像を矩形で表示し、印刷を行っているページを示す前記第２画像を、印刷が進むごとに形状が小さくなるように形状を変化させてゆくこととした。
【００２８】
この構成によれば、印刷を行っているぺージを示す第２の画像は、印刷が進むごとに形状が小さくなるように形状が変化するので、使用者は、印刷の進行状況を容易に、詳しく把握できる。
【００２９】
又、請求項１１に係る発明は、請求項６乃至１０の発明において、前記表示入力部は、複数ページ分の前記第１の画像の並列表示と、複数ページ分の前記第２の画像の並列表示を同時に表示することとした。
【００３０】
この構成によれば、第１の画像の並列表示と、第２の画像の並列表示は同時に表示される。これにより、使用者は、原稿の読み取りの進行状況と、印刷の進行状況を同時に把握することができる。
【００３１】
又、請求項１２に係る発明は、請求項２乃至１１の発明において、前記第１の画像及び前記第２の画像は、前記プレビュー画像であることとした。
【００３２】
この構成によれば、表示入力部は、プレビュー画像を第１の画像、第２の画像として表示するので、原稿読取を中止すべきか、及び、印刷を中止すべきページを視認することができる。これにより、使用者は、原稿読取や印刷中止をすべきか否かを容易に判断することができる。
【発明の効果】
【００３３】
上述の通り、本発明によれば、複数枚の原稿を複写する場合、原稿読取、プレビュー画像表示、印刷を並列的に行うので、原稿の読取開始から印刷完了までに要する時間が短くなる。これにより、画像形成装置の生産性を高めることができる。
【図面の簡単な説明】
【００３４】
【図１】実施形態に係る複写機の概略構成を示す正面視模型的断面図である。
【図２】実施形態に係る複写機の画像読取部と原稿搬送部の拡大模型的断面図である。
【図３】実施形態に係る操作パネルの一例を示す平面図である。
【図４】実施形態に係る複写機の構成の一例を示すブロック図である。
【図５】実施形態に係る画像読取部の構成や画像データの流れの一例を示すブロック図である。
【図６】実施形態に係る複写機でのプレビュー画像の表示の一例を説明するための説明図である。
【図７】実施形態に係る複写機と従来の複写機でのプレビュー画像を表示して複写を行う際の処理の流れを、対比的、時系列的に示したグラフである。
【図８】（ａ）は、実施形態に係る複写機での原稿読取中止を説明するための説明図である。（ｂ）は、実施形態に係る複写機での印刷中止を説明するための説明図である。
【図９】実施形態に係る原稿読取制御の流れの一例を示すフローチャートである。
【図１０】実施形態に係る印刷制御の流れの一例を示すフローチャートである。
【発明を実施するための形態】
【００３５】
以下、本発明の実施形態を図１〜図１０を用いて説明する。但し、本実施の形態に記載されている構成、配置等の各要素は、発明の範囲を限定するものではなく単なる説明例にすぎない。
【００３６】
（画像形成装置の概略）
まず、図１を用いて、本発明の実施形態における電子写真方式の複写機１００（画像形成装置に相当）の概略を説明する。図１は、本発明の実施形態に係る複写機１００の概略構成を示す正面視模型的断面図である。
【００３７】
図１に示すように、本実施形態に係る複写機１００は、最上方に原稿を搬送する原稿搬送部１が配される。原稿搬送部１の下方に原稿に光を照射し、反射光により読取を行う画像読取部２が配される。又、本実施形態の複写機１００は、正面上方に機能設定入力の受け付けや複写機１００の状態表示のため、操作パネル３（表示入力部に相当）が接続、装着される。尚、画像読取部２、操作パネル３の詳細な説明は、後述する。
【００３８】
次に、複写機１００内部の構成、動作を説明する。複写機１００は内部に、給紙部４、搬送路５、画像形成部６ａ、定着部６ｂ等を備える。又、排紙空間が、画像読取部２の下方位置に設けられる。そこで、これらの構成を用紙の搬送経路に沿って説明する。尚、図１に複写機１００内での用紙の搬送経路を実線矢印で図示する。
【００３９】
まず、給紙部４は、複写機１００の最下部に設けられ、例えば、コピー用紙、ＯＨＰ用紙、ラベル用紙等の各種、各サイズ（Ａ４、Ｂ５等）の用紙を収容する。そして、給紙部４の用紙搬送方向下流側上方に、給紙ローラ４１が設けられる。給紙ローラ４１は、最上位の用紙に当接し、用紙供給の際、所定の方向（図１では時計方向）に回転駆動し、用紙を１枚ずつ搬送路５に送り出す。
【００４０】
搬送路５は、本実施形態では、複写機１００内で用紙を搬送し、給紙部４から画像形成部６ａを経て、排出トレイ５１（排紙空間）まで用紙を搬送する。そして、搬送路５には、駆動機構（不図示）により回転駆動する搬送ローラ対５２や、用紙を案内するための複数のガイド板（不図示）や、形成されたトナー像に合わせて用紙を送り出すレジストローラ対５３や、用紙排出のための排出ローラ対５４等が設けられる。
【００４１】
画像形成部６ａは、図１において、複写機１００内の中央左方の位置に配され、画像読取部２が読み取った原稿や複写機１００に入力された画像データ等に基づき、トナー像を形成し、用紙に転写を行う。そして、画像形成部６ａは、像担持体としての感光体ドラム６１、帯電装置６２、露光装置６３、現像装置６４、転写ローラ６５、清掃装置６６等で構成される。感光体ドラム６１は、画像形成部６ａの略中央に配され、駆動装置（不図示）によって所定の方向（図１では時計方向）に回転駆動し、外周面にアモルファスシリコン等の感光層を有する。帯電装置６２は、図１の感光体ドラム６１の右斜め上方に対向して配され、所定の電位で感光体ドラム６１の周面を帯電させる。尚、コロナ放電式のものの他、帯電ローラ、ブラシ等を用いても良い。
【００４２】
露光装置６３は、図１における感光体ドラム６１及び帯電装置６２の右側方に配され、帯電後の感光体ドラム６１の周面に、形成すべき画像の画像データに基づき光（例えば、レーザ光）を照射し、周面を走査・露光し、感光体ドラム６１の周面に画像データに対応した静電潜像が形成される。現像装置６４は、図１において感光体ドラム６１の下方に設けられ、収容するトナーを所定の電位に帯電させ、そのトナーを静電潜像に供給し、静電潜像がトナー像として現像される。
【００４３】
転写ローラ６５は、図１において、感光体ドラム６１の左斜め下方に回転可能に支持され、感光体ドラム６１上に形成されたトナー像を用紙に転写する。そのため、転写ローラ６５は、感光体ドラム６１に当接しニップを形成する。そして、このニップに用紙が進入し転写ローラ６５にトナーの帯電極性と逆極性の電圧が印加され、トナー像の用紙への転写がなされる。清掃装置６６は、図１において、感光体ドラム６１の上方に配され、感光体ドラム６１の周面上の残トナーや塵芥等を除去、回収する。
【００４４】
定着部６ｂは、本実施形態では、加熱ローラ６７、加圧ローラ６８等を有し、用紙に転写されたトナー像を加圧・加熱し用紙に固着させる。加熱ローラ６７は内部に発熱体が内蔵され、加圧ローラ６８と加熱ローラ６７は、互いに圧接してニップを形成する。このニップにトナー像が転写された用紙が進入し、トナー像の定着が行われる。定着完了後の用紙は、排出ローラ対５４により、排出トレイ５１に排出される。
【００４５】
（画像読取部２の構成）
次に、図２を用いて、本発明の実施形態に係る画像読取部２を説明する。図２は、本発明の実施形態に係る複写機１００の画像読取部２と原稿搬送部１の拡大模型的断面図である。まず、原稿搬送部１を説明する。
【００４６】
原稿搬送部１は、読み取りを行う原稿を１枚ずつ、自動的に連続して読み取り位置に搬送する。原稿搬送方向上流側から順に、原稿載置トレイ１１、原稿供給ローラ１２、原稿搬送路１３、複数の原稿搬送ローラ対１４、原稿排出ローラ対１５、原稿排出トレイ１６等が設けられる。又、原稿搬送部１は、画像読取部２の上方に図２の紙面奥側を支点として画像読取部２に上下方向に開閉自在に取り付けられ、画像読取部２のコンタクトガラス（送り読取用コンタクトガラス２１Ａ及び載置読取用コンタクトガラス２１Ｂ）を上方から押さえるカバーとして機能する。
【００４７】
原稿載置トレイ１１は、複数枚の原稿を載置でき、原稿搬送路１３の上流端に接続される。尚、例えば、原稿載置トレイ１１には、図２に示すように、原稿載置トレイ１１に原稿が載置されていることを検出するための反射型の光センサ等の原稿検知センサ１７を備える。そして、原稿供給ローラ１２は、最上位の原稿に当接し、原稿読取や複写をする旨の入力が複写機１００に入力されると（例えば、後述のスタートキー３４の押下）、原稿搬送路１３に原稿を送り出す。送り出された原稿は、複数の原稿搬送ローラ対１４やガイドに導かれ、画像読取部２上面の送り読取用コンタクトガラス２１Ａ（読取位置に相当）の上面を通過する。この通過の際、画像読取部２が読取を行う。そして、読取が完了した原稿は、原稿排出ローラ対１５から原稿排出トレイ１６に排出される（原稿搬送経路を２点鎖線で図示）。尚、上記の各回転体（原稿排出ローラ対１５等）は、原稿搬送モータ１８（図４参照）を駆動源として回転する。
【００４８】
次に、本実施形態における画像読取部２を説明する。図１や図２に示すように、画像読取部２は、箱形の筐体を有する。そして、画像読取部２の上面に、図２の左方から、板状の送り読取用コンタクトガラス２１Ａ、載置読取用コンタクトガラス２１Ｂが配される。送り読取用コンタクトガラス２１Ａは、原稿搬送部１により搬送される原稿が通過する面である。一方、載置読取用コンタクトガラス２１Ｂは、書籍等の原稿を１枚ずつ読み取る場合、原稿搬送部１を持ち上げ、読取面を下向きに原稿が載置される面である。
【００４９】
又、図２に示すように、画像読取部２の筐体内には、第１移動枠２２１、第２移動枠２２２、ワイヤ２３、巻取ドラム２４、レンズ２５と、ランプ２６から原稿に照射された光の反射光が入射され、画像データを生成するためのイメージセンサ２７等が配される。イメージセンサ２７は、例えば、ライン状に光電変換素子を並べたＣＣＤ（Charge Coupled Device）で構成され、原稿の反射光を元に、１ライン毎に原稿を読み取る。従って、一枚の原稿を読み取って得られた画像データは、複数ラインの読取結果の合成となる。
【００５０】
そして、第１移動枠２２１は、上方に、載置読取用コンタクトガラス２１Ｂに載置された原稿等に光を照射するランプ２６（例えば、冷陰極ランプ、キセノンランプ、蛍光ランプ）を、下方に第１ミラー２６１を支持する。尚、ランプ２６、各ミラーは、図２の紙面垂直方向に延びる形状である。
【００５１】
第２移動枠２２２は、上方に第２ミラー２６２を下方で第３ミラー２６３を支持する。又、第１移動枠２２１は第２移動枠２２２の上方に配される。又、この第１移動枠２２１及び第２移動枠２２２には複数本のワイヤ２３が取り付けられ（図２では、便宜上１本のみ図示）、ワイヤ２３の他端が巻取ドラム２４に接続され、巻取モータ２８（図４参照）を駆動源として、巻取ドラム２４が正逆回転し、第１移動枠２２１と第２移動枠２２２が水平方向に自在に移動する。
【００５２】
ここで、具体的な原稿読取動作の一例を説明しておく。まず、原稿搬送部１により搬送される原稿を読み取る場合、原稿載置トレイ１１から搬送された原稿は、送り読取用コンタクトガラス２１Ａの上面を通過しつつ搬送される。そして、送り読取用コンタクトガラス２１Ａの下方位置（読み取り位置）に、巻取モータ２８の駆動により、第１移動枠２２１と第２移動枠２２２が固定され、通過する原稿に対し、ランプ２６が光を照射する。
【００５３】
ランプ２６から発せられた光は、送り読取用コンタクトガラス２１Ａ上の原稿に当たり、その反射光を第１ミラー２６１、第２ミラー２６２、第３ミラー２６３を用いて、レンズ２５に集光される。そして、レンズ２５からの光がイメージセンサ２７に入射される。イメージセンサ２７は、反射光の強度に応じてアナログの電気信号を出力する。画像読取部２は、このアナログ信号をディジタル信号に変換し、画像データが得られる。この原稿の主走査方向（原稿搬送方向と垂直な方向）にライン単位で読取を行い、このライン単位の読取を副走査方向（原稿搬送方向）に連続して繰り返し行うことで、１枚の原稿が読み取られる。
【００５４】
一方、載置読取用コンタクトガラス２１Ｂ上に載置された原稿を読み取る場合、第１移動枠２２１及び第２移動枠２２２を巻取ドラム２４やワイヤ２３等により、ホームポジションから図２の右方向に水平に移動させ、走査動作を、順次原稿端部まで連続的に行うことで、原稿全体が読み取られ、原稿が電気信号に変換される。
【００５５】
（操作パネル３）
次に、図１及び図３に基づき、本発明の実施形態に係る操作パネル３を説明する。図３は、本発明の実施形態に係る操作パネル３の一例を示す平面図である。
【００５６】
図１及び図３に示すように、複合機１００の正面上方に設けられる操作パネル３は、複写の進行状況やエラー発生など、複合機１００の状態や各種メッセージを表示する液晶表示部３１を備える。又、液晶表示部３１は、機能の選択、設定を行うためのキーを１又は複数表示することができる。又、液晶表示部３１の上面に透明なタッチパネル部３２が設けられる。タッチパネル部３２は、使用者が液晶表示部３１に押下した部分の位置、座標を検出するためのものである。尚、操作パネル３は、テンキー部３３やスタートキー３４も備える。
【００５７】
このタッチパネル部３２を用いた検出座標と、液晶表示部３１に示される各種キーの位置、座標を比較し、使用者が押下して選択したキーが特定される。このように、使用者は液晶表示部３１での表示とタッチパネル部３２で複合機１００の各機能について、各種設定、モード選択等を行うことができる。尚、タッチパネル部３２としては、抵抗膜方式、表面弾性波方式、赤外線方式、静電容量方式等、各方式を採用でき特に制限はない。
【００５８】
（複写機１００のハードウェア構成）
次に、図４に基づき本発明の実施形態に係る複写機１００のハードウェア構成の一例を説明する。図４は、本発明の実施形態に係る複写機１００の構成の一例を示すブロック図である。
【００５９】
まず、複写機１００には本体制御部７が設けられる。中央演算処理装置として、ＣＰＵ７１が設けられ、ＲＡＭ（Random Access Memory）やＲＯＭ（Read Only Memory）やＨＤＤ（Hard disk drive）やフラッシュＲＯＭ等の不揮発性と揮発性のメモリ３５からなる記憶部７２を有する。記憶部７２は、複写機１００を制御するためのプログラム、データ等が記憶される。
【００６０】
そして、本体制御部７には、給紙部４、搬送路５、画像形成部６ａ、定着部６ｂ、操作パネル３、画像処理部８等が接続される。本体制御部７は、用紙搬送や、トナー像形成等、接続される各部の動作制御を行う。尚、図４では、本体制御部７は、１つとして図示しているが、本体制御部７は、全体制御や画像処理を行うメイン制御部と、各種回転体を回転させるモータ等のＯＮ／ＯＦＦ等を制御するエンジン制御部等、機能ごとに分割して複数種設けられてもよい。
【００６１】
次に、本実施形態の操作パネル３の構成について説明する。本実施形態の複写機１００の操作パネル３は、表示制御部３０、メモリ３５、ドライバ回路３６、液晶表示部３１、タッチパネル部３２、スタートキー３４、テンキー部３３等を有する。表示制御部３０はＣＰＵやＩＣ等で構成され、液晶表示部３１の表示を制御し、タッチパネル部３２の出力（出力電圧）を受け、液晶表示部３１で押下された座標を特定する。タッチパネル部３２の出力と座標の対応を示すテーブル等のデータは、メモリ３５に記憶される。そして、表示制御部３０は、押下位置の座標と、液晶表示部３１に表示した設定画面の画像データを比較する等により、設定画面上で選択された（押下された）キーを特定する。
【００６２】
押下されたキーの特定等によって、機能の選択、設定が行われたことを表示制御部３０は認識し、その内容を本体制御部７に送信する。これにより、操作パネル３で選択、設定された機能を反映した動作を本体制御部７が、画像形成部６ａ等の各部に行わせ、使用者の意思が、印刷等において反映される（例えば、濃度設定や拡大縮小など）。
【００６３】
又、メモリ３５は、液晶表示部３１で表示する各設定画面の画像データを記憶する。従って、表示制御部３０は、設定画面中のキーが選択されるごとに、表示制御部３０は、次に表示すべき画面の画像データをメモリ３５から読み出す。表示制御部３０は、この表示する設定画面の画像データを液晶表示部３１の表示を実際に制御するドライバ回路３６に指示を与える。
【００６４】
又、本体制御部７は、原稿搬送部１や画像読取部２とも接続され、原稿搬送部１や画像読取部２に対して動作指示を与える（詳細は後述）。そして、本体制御部７は、複写時には、読み取った原稿の画像データを受け取る。画像データは、画像処理部８で処理され、その画像データに基づき、画像形成部６ａでトナー像形成が行われる。画像処理部８は例えば、画像データに関する演算や作業領域としてのワークＲＡＭや画像処理専用回路としてのＡＳＩＣ等を組み合わせて構成される回路である。尚、本体制御部７のＣＰＵと記憶部７２に画像処理プログラムを格納し、ソフトウェア的に画像処理部８が実現されても良い。
【００６５】
又、画像処理部８は、操作パネル３の液晶表示部３１で表示されるプレビュー画像用の画像データを生成する。尚、プレビュー画像用の画像データは、本体制御部７が生成しても良い。生成されたプレビュー画像用の画像データは、操作パネル３に向けて送信され、ドライバ回路３６に入力される。その結果、液晶表示部３１にプレビュー画像が表示される。尚、画像処理部８は、プレビュー画像用画像データの生成の他、印刷に用いる画像データに対し、各種の画像処理（例えば、濃度変更等）を行うことができる。しかし、実行可能な画像処理は、多岐にわたるので、特に説明する場合を除き、公知の画像処理を行えるものとして、実行可能な画像処理の詳細な説明は割愛する。
【００６６】
又、本体制御部７には、Ｉ／Ｆ回路７３が接続され、このＩ／Ｆ回路７３を介して、ネットワーク等により、１又は複数の外部のコンピュータ２００（例えば、パーソナルコンピュータ）を接続することができる。この接続により、複写機１００は、外部のコンピュータ２００から画像データや印刷設定データの送信を受けて、印刷を行うことができる。又、画像読取部２を利用して読み取った原稿の画像データを外部のコンピュータ２００に送信することもできる。
【００６７】
（画像読取部２のハードウェア構成と画像データの流れ）
次に、図５に基づき、本発明の実施形態に係る画像読取部２のハードウェア構成の一例を説明する。図５は、本発明の実施形態に係る画像読取部２の構成や画像データの流れの一例を示すブロック図である。
【００６８】
上述したように、本実施形態の画像読取部２は、原稿搬送部１と画像読取部２で構成され、原稿搬送部１には、原稿搬送部１の制御を行う原稿搬送制御部１０が設けられ、画像読取部２には、画像読取部２の制御を行う読取制御部２０が設けられる。
【００６９】
原稿搬送制御部１０は、上述の本体制御部７と接続され、本体制御部７からの指示を受けて、原稿搬送部１の動作制御を行う。原稿搬送制御部１０は、例えば、本体制御部７から原稿の読み取り指示があった場合、原稿搬送モータ１８を駆動させて、原稿供給ローラ１２、原稿搬送ローラ対１４等を回転させる。これにより、原稿が１枚ずつ読み取り位置（送り読取用コンタクトガラス２１Ａ）に搬送される。又、原稿搬送制御部１０には、原稿検知センサ１７の出力が入力され、これにより、原稿搬送制御部１０は、原稿載置トレイ１１に原稿が存在するかを検知する。
【００７０】
次に、図５に示すように、画像読取部２には、読取制御部２０が設けられる。本体制御部７と接続される読取制御部２０は、例えば、コピーを行う旨が複写機１００に入力され、本体制御部７から読取実行指示が与えられた場合等、画像読取部２の動作制御や、読み取って得られた画像データの本体制御部７への送信制御を行う。
【００７１】
そして、読取制御部２０には、例えば、原稿に光を照射するランプ２６や、巻取ドラム２４を駆動するための巻取モータ２８や、イメージセンサ２７等が接続される。そして、原稿読取時、読取制御部２０は、各部材を制御し、ランプ２６を点灯させ、巻取ドラム２４により各移動枠を移動又は固定し、イメージセンサ２７を駆動させる。
【００７２】
次に、画像読取部２で得られた画像データの流れの一例を説明する。尚、図５では、画像データの流れを白抜矢印で示している。イメージセンサ２７によって得られた各画素のアナログの電気信号は、Ａ／Ｄ変換部２９Ａによってディジタル信号に変換される。ディジタル信号に変換された画像データは、各種補正処理を施す補正部２９Ｂに入力される。
【００７３】
イメージセンサ２７にライン状に配された各画素に相当する各受光素子のばらつき（個体特性差）や、レンズ２５の中心部と周辺部の集光度の違いや、ランプ２６の位置による発光量のムラ等により、主走査方向で同一濃度のものを読み取っても、画素の位置でイメージセンサ２７の各受光素子が出力する電流（電圧）差が生ずる。そこで、補正部２９Ｂは、シェーディング補正等、画素の位置に依存する歪みを補正する。
【００７４】
補正後の画像データは、例えば、本体制御部７に入力され、記憶部７２（例えば、ＨＤＤ）に蓄積される。その後、操作パネル３でなされた設定に従って、画像処理部８は、画像データに各種画像処理を施す。尚、図５に示すように、迅速にプレビュー画像を表示できるようにするため、補正部２９Ｂから画像処理部８に直接的に画像データが送信されてもよい。
【００７５】
そして、画像処理部８には、例えば、縮小処理部８１が設けられる。例えば、縮小処理部８１は、画像データの縮小処理を行う回路である（ＡＳＩＣに内蔵されていてもよい）。例えば、６００ｄｐｉで原稿を読み取った場合、Ａ４の原稿が縦２９０ｍｍ、横２１０ｍｍ、１インチ＝２５．４ｍｍと仮定すると、Ａ４の原稿を読み取った際に、縦方向で約７０００ドット、横方向で約５０００ドットの画像データが得られる。例えば、液晶表示部３１で表示できるプレビュー画像が縦数百ドット、横数百ドット（液晶表示部３１の解像度やプレビュー画像が表示される領域の大きさによる）で有れば、原稿の画像データを１／１０以上に縮小することで、プレビュー画像用の画像データが得られる。
【００７６】
そこで、縮小処理部８１は、縮小処理を行ってプレビュー画像用の画像データを生成する。例えば、縮小処理部８１は、間引き処理や、一定範囲の濃度値の平均値を縮小画像の画素値として利用して、縮小処理を行う。又、原稿読取前に、複写に関する各種設定（濃度変更や枠消し等）が行われていれば、画像処理部８は、設定に対応した画像処理を施した画像データを生成し、縮小処理部８１は、設定に対応した画像処理が施された画像データに基づき、プレビュー画像用の画像データを生成できる。尚、迅速にプレビュー画像を表示できるように、補正部２９Ｂから別途プレビュー画像用の画像データ生成に特化された専用回路（プレビュー画像生成部８２）に原稿の画像データを入力し、プレビュー画像生成部８２から操作パネル３にプレビュー画像用の画像データが供給されても良い。
【００７７】
（プレビュー画像の表示）
次に、図６に基づき、本発明の実施形態に係る複写機１００でのプレビュー画像の表示の一例を説明する。図６は、本発明の実施形態に係る複写機１００でのプレビュー画像の表示の一例を説明するための説明図である。
【００７８】
まず、本実施形態の複写機１００では、操作パネル３に入力することで、複写に関する各種設定を行うことができる。例えば、図６の上段に示すように、複写における濃度設定を行うことができる。
【００７９】
そして、図６に示すように、本実施形態の複写機１００では、プレビュー画像を表示するためのプレビュー画像表示領域Ｆ１が設けられる。プレビュー画像表示領域Ｆ１には、プレビューキーＫ１が設けられる。例えば、プレビューキーＫ１が押下され、プレビュー画像を表示する設定であれば、プレビューキーＫ１は、白黒反転状態となる（黒地にプレビューの白文字）。これにより、使用者は、プレビュー画像を表示させるか否かの設定を行うことができる。
【００８０】
そして、図６の上段に示すように、濃度設定等の複写に関する設定が完了し、原稿を原稿搬送部１にセットされた状態でスタートキー３４が押下されると、原稿の複写が開始される。本実施形態の複写機１００では、原稿の複写が開始されると、原稿搬送部１が原稿を１枚ずつ搬送し、画像読取部２が原稿を１ページずつ読み取る。その後、全ての原稿の読み取りが完了する前であっても、液晶表示部３１のプレビュー画像表示領域Ｆ１には、プレビュー画像が表示され、１枚分の原稿が読み取られプレビュー画像の画像データが生成されるごとに、プレビュー画像が切り替えられる。
【００８１】
そして、複数枚の原稿が原稿搬送部に載置された場合、原稿は１枚ずつ連続的に読み取られ、画像データは連続的に生成される。連続的に生成される画像データに基づいて、１ページ分のプレビュー画像の画像データが生成されるごとに、プレビュー画像は、更新される。そのため、図６の下段に示すように、プレビュー画像表示領域Ｆ１には、現在表示しているページを示すページ表示欄Ｃ１が設けられる。このように、本実施形態の複写機１００では、複数枚の原稿の複写を行う際、原稿の全ての読み取りが完了する前に、プレビュー画像が表示される。
【００８２】
又、プレビュー画像の右側には、原稿の読取状況を表示するための原稿読取状況表示領域Ｆ２と、印刷の進行状況を表示するための印刷進行状況表示領域Ｆ３が設けられる。原稿読取状況表示領域Ｆ２と印刷進行状況表示領域Ｆ３は、スタートキー３４が押下され、原稿読取や印刷が開始されると表示される。
【００８３】
そして、原稿読取状況表示領域Ｆ２には、読み取った原稿や読み取り中の原稿のページを示す第１の画像Ｄが横方向に並列して表示される。例えば、前側（先頭側）に位置するページが左側になるように、第１の画像Ｄが表示される。各第１の画像Ｄ中の数字は、原稿中のページ番号を示す。又、図６（ｂ）で、右端に位置する第１の画像Ｄと、右端以外の第１の画像Ｄとの差のように、第１の画像Ｄのうち、読み取りが完了したページは、四角図形（矩形）で表示され、読み取り中のページは、例えば、四角形の上部分が波線で切り取られた図形で表示され、下向き矢印と読取中の文字が付される。
【００８４】
即ち、表示入力部（操作パネル３）は、画像読取部２が読み取った原稿を示す第１の画像Ｄと読み取っている原稿を示す第１の画像Ｄの形状を異ならせる。又、図６（ｂ）に示すように、読み取りが進むごとに、第１の画像Ｄは、矩形に近づく。即ち、表示入力部（操作パネル３）は、画像読取部２が読み取った原稿の第１の画像Ｄを矩形で表示し、第１の画像Ｄと読み取っている原稿を示す第１の画像Ｄを、読み取りが進むごとに矩形に近づくように形状を変化させてゆく。
【００８５】
更に、各第１の画像Ｄは、プレビュー画像表示領域Ｆ１に表示されるプレビュー画像を更に縮小した画像とすることができる。言い換えると、各第１の画像Ｄもプレビュー画像の一種と言える。尚、各第１の画像Ｄの画像データは、画像処理部８等が、先に生成したプレビュー画像用の画像データに更に縮小処理を施して生成し、操作パネル３に更なる縮小処理後の画像データが与えられても良い。又、各第１の画像Ｄの画像データは、プレビュー画像用の画像データに対し、表示制御部３０やメモリ３５を用いて演算し、操作パネル３で各第１の画像Ｄの画像データが生成されても良い。
【００８６】
又、原稿読取状況表示領域Ｆ２に並列して表示できる第１の画像Ｄは無限ではないので、有る程度のページ数分（例えば、４〜６ページ分）表示されると、例えば、原稿読取が行われるごとに、第１の画像Ｄのうち、最も前のページ（最も先頭側のページ）の第１の画像Ｄの表示が消去される（例えば、最も左側に配置）。そして、消去されなかった第１の画像Ｄが左側にずらされる。例えば、並列した第１の画像Ｄのうち最も右側に、直近に原稿を読み取ったページの第１の画像Ｄが表示される。
【００８７】
一方、印刷進行状況表示領域Ｆ３には、印刷中や印刷予定のページを示す第２の画像Ｐが横方向に並列して表示される。例えば、前側に位置するページ（最も先頭側のページ）が左側になるように、第２の画像Ｐが表示される。各第２の画像Ｐ中の数字は、ページ番号を示す。又、図６（ｃ）で、左端に位置する第２の画像Ｐと、左端以外の第２の画像Ｐとの差のように、第２の画像Ｐのうち、印刷中のページは、例えば、四角形の上部分が波線で切り取られた図形で表示され、下向き矢印と印刷中の文字が付され、これから印刷を行うページは、四角図形で表示される。
【００８８】
即ち、表示入力部（操作パネル３）は、印刷を行っているページを示す第２画像と、これから印刷を行おうとするページを示す第２の画像Ｐの形状を異ならせる。又、図６（ｃ）に示すように、読み取りが進むごとに、第２の画像Ｐは、小さくなる。即ち、表示入力部（操作パネル３）は、これから印刷を行おうとするページを示す第２の画像Ｐを矩形で表示し、印刷を行っているページを示す第２画像を、印刷が進むごとに形状が小さくなるように形状を変化させてゆく。
【００８９】
更に、各第２の画像Ｐも第１の画像Ｄと同様、プレビュー画像表示領域Ｆ１に表示されるプレビュー画像を更に縮小した画像とすることができる。言い換えると、各第２の画像Ｐもプレビュー画像の一種と言える。尚、各第２の画像Ｐの画像データは、第１の画像Ｄと同じ画像データを用いればよい。このように、表示入力部（操作パネル３）は、プレビュー画像を第１の画像Ｄ及び／又は第２の画像Ｐとして表示する（第１の画像Ｄ及び／又は第２の画像Ｐは、プレビュー画像である）。
【００９０】
又、印刷進行状況表示領域Ｆ３でも並列して表示できる第２の画像Ｐは無限ではないので、例えば、印刷が完了した第２の画像Ｐの表示が消去される。そして、消去されなかった第２の画像Ｐが左側にずらされる。例えば、並列した第２の画像Ｐのうち最も右側に、今まで表示されていないページのうち最も後側に位置するページの第２の画像Ｐが、新たに表示される。
【００９１】
このように、表示入力部（操作パネル３）は、複数ページ分の第１の画像Ｄの並列表示と、複数ページ分の第２の画像Ｐの並列表示を同時に表示する。従って、使用者は、読み取りや印刷の進行状況を容易に把握できる。
【００９２】
（複写時間の短縮化）
次に、図７に基づき、本発明の実施形態に係る複写機１００での複写に要する時間の短縮化を説明する。図７は、本発明の実施形態に係る複写機１００と従来の複写機１００でのプレビュー画像を表示して複写を行う際の処理の流れを、対比的、時系列的に示したグラフである。
【００９３】
本実施形態の複写機１００は、原稿の全ての読み取りが完了する前にプレビュー画像を表示する。又、全ページ分のプレビュー画像を表示できる状態となる前に印刷を開始することができる。即ち、本実施形態では、図７に示すように、原稿読取とプレビュー画像表示と印刷が並列的に行われる。
【００９４】
一方、図７に示すように、従来、印刷の無駄や原稿の読み取りのやり直しを防ぐため、全ての原稿読取が完了後、プレビュー画像を確認できる状態となっていた。そして、プレビュー画像の確認後、使用者が仕上がりに納得し、印刷の開始を指示する入力を行った後、印刷が開始されていた。しかし、これでは、複数枚の原稿の読取開始から印刷の完了までに時間を要する。
【００９５】
そこで、本実施形態の複写機１００は、原稿読取、プレビュー画像の表示、印刷を並列的に行う。即ち、本発明に係る画像形成装置（例えば、複写機１００）は、原稿を読み取り、原稿の画像データを生成する画像読取部２と、原稿の束が載置されるとともに、画像読取部２の読み取り位置に向け、原稿を一枚ずつ搬送する原稿搬送部１と、画像読取部２が生成した画像データに基づき画像を形成する画像形成部６ａと、画像読取部２が生成した画像データに基づき、複数のプレビュー画像を表示するとともに、原稿の複写に関する設定を受け付ける表示入力部（操作パネル３）と、を有し、表示入力部（操作パネル３）は、全ての原稿の読み取りを完了する前に、全ページ分のプレビュー画像のうち、読み取られたページ順にプレビュー画像を表示し、画像形成部６ａは、全ての原稿の読み取りを完了する前かつ全ページ分のプレビュー画像を表示する前に、画像形成を行う。従来のように、原稿読取、プレビュー画像の表示と使用者の確認、印刷が直列的に行われる場合に比べ複数枚の原稿の複写を行う場合、図７において時間差Δｔで示すように、複写が完了するまでの時間の短縮を図ることができる。
【００９６】
１枚当たりの原稿読取に要する時間や、１枚当たりの印刷時間を短くして、原稿読取開始から印刷完了までの時間を短くするには、原稿の搬送速度、画像処理速度、画像形成速度等、画像形成装置における能力を全体的に高める必要がある。そのため、消費電力、騒音、画質、コスト等解決すべき点が多々あり、有る程度の困難を伴う。しかし、本実施形態の複写機１００では、１枚当たりの原稿読取に要する時間や、１枚当たりの印刷時間を短くすることなく、原稿読取開始から印刷完了までの時間を短くすることができる。
【００９７】
（原稿読取及び印刷の中止）
次に、図８に基づき、本発明の実施形態に係る複写機１００での原稿読取の中止及び印刷の中止の一例を説明する。図８（ａ）は、本発明の実施形態に係る複写機１００での原稿読取中止を説明するための説明図である。図８（ｂ）は、本発明の実施形態に係る複写機１００での印刷中止を説明するための説明図である。
【００９８】
まず、図８（ａ）を用いて、原稿読取の中止を説明する。図８（ａ）では、複写開始により、原稿の読み取りの進行状況が原稿読取状況表示領域Ｆ２に表示される。ここで、使用者は、プレビュー画像を見ながら、原稿の読み取りを確認することができる。
【００９９】
そして、複数枚の原稿を読み取る場合、複写しようとする原稿とは異なる原稿が紛れ込んでいる場合、ページが順番どおりに並んでいない場合、仕上がりに不満がある場合など、使用者は複写の途中で原稿読取を中止したい場合がある。言い換えると、原稿読取を止め、原稿や複写の再設定を行いたい場合がある。例えば、図８（ａ）では、３ページ目と４ページ目を原稿に紛れ込んだ他の原稿として示している。
【０１００】
このような、原稿読取を中止したい場合、複写を意図しない第１の画像Ｄを押下することで原稿読取を停止させることができる。例えば、図８（ａ）の例では、３ページ目の第１の画像Ｄを押下する。第１の画像Ｄの押下が有れば、表示制御部３０は、原稿読取を停止すべき旨のデータを本体制御部７に送信する。このデータを受け、本体制御部７は、原稿搬送制御部１０と読取制御部２０に原稿読取の中止指示を与える。原稿搬送制御部１０と読取制御部２０は、中止指示を受けて、原稿の読み取りを中止する。即ち、表示入力部（操作パネル３）は、画像読取部２が読み取った原稿と読み取っている原稿を示す第１の画像Ｄを複数ページ分、読取順に並列して表示するとともに、第１の画像Ｄを指定する入力を原稿の読取中止の指示として受け付け、読取中止の指示がなされた場合、画像読取部２は、原稿読取を中止する。
【０１０１】
尚、原稿読取の中止を指定したページよりも前のページを印刷するか否かは、任意に定めることができる。例えば、第１の画像Ｄの押下で、原稿読取の中止の入力が操作パネル３になされれば、本体制御部７は、直ちに画像形成部６ａでの印刷を停止させても良いし、原稿読取の中止を指定したページよりも前のページまでは印刷しても良い。
【０１０２】
次に、図８（ｂ）を用いて、印刷中止を説明する。図８（ｂ）では、複写開始により、印刷進行状況表示領域Ｆ３に印刷状況が表示される。ここで、使用者は、プレビュー画像を見ながら、印刷の進行状況を確認することができる。
【０１０３】
そして、複数枚の原稿の複写を行う場合、複写しようとする原稿とは異なる原稿が紛れ込んでいる場合、仕上がりに不満がある場合など、使用者は読み取られた原稿のうち、一部のページだけ印刷したくない場合がある。言い換えると、読み取った原稿に、印刷を行いたくないページが含まれる場合がある。例えば、図８（ｂ）では、４ページ目や５ページ目を、使用者が印刷したくないページとして示している。
【０１０４】
このような、一部のページの印刷を中止したい場合、印刷を意図しない第２の画像Ｐを押下することで、そのページの印刷を飛ばすことができる。例えば、図８（ｂ）の例では、４ページ目と５ページ目の第２の画像Ｐを押下すると、表示制御部３０は、４ページ目と５ページ目の印刷を印刷せず、飛ばすべき旨のデータを本体制御部７に送信する。このデータを受け、本体制御部７は、画像形成部６ａや画像処理部８に画像データの処理やトナー像形成を行わせず、或いは中止させ、指示されたページの印刷を行わせない。
【０１０５】
即ち、表示入力部（操作パネル３）は、少なくとも、印刷を行っているページと、これから印刷を行おうとするページを示す第２の画像Ｐを複数ページ分、印刷順に並列して表示するとともに、第２の画像Ｐを指定する入力を印刷中止の指示として受け付け、印刷中止の指示がなされたページについては、画像形成部６ａは、印刷を行わない。
【０１０６】
尚、本実施形態の複写機１００では、印刷中止を指定しないページは、印刷中止の指示のあったページよりも後のページであっても、印刷中止の指示がない限り、印刷される。これにより、印刷自体を止めることなく、複数枚の原稿のうち、不要なページだけ印刷しないようにすることができる。印刷するか否かは、使用者がプレビュー画像を見て確認すればよい。
【０１０７】
更に、第２の画像Ｐを１つずつ押下することで、１ページずつ印刷を中止する指示の入力がなされても良いが、複数ページ分の第２の画像Ｐを指でなぞる（押下したまま指を液晶表示部３１の左右方向に動かす）等により、１回の押下動作で複数の第２の画像Ｐの指定がなされても良い。即ち、表示入力部（操作パネル３）は、第２の画像Ｐを複数指定する入力を受け付ける。
【０１０８】
（原稿読取及び印刷の流れ）
次に、図９及び図１０に基づき、本実施形態の複写機１００での複写における制御の流れの一例を説明する。図９は、本発明の実施形態に係る複写機１００での原稿読取制御の流れの一例を示すフローチャートである。図１０は、本発明の実施形態に係る複写機１００での印刷制御の流れの一例を示すフローチャートである。尚、本実施形態の複写機１００では、原稿読取と印刷は並行して行われる。従って、複写時には、図９と図１０の二つのフローが並行して実行される。又、本説明では、複数枚（例えば、十数枚以上）の原稿が原稿搬送部１に載置され複写を行う場合の例を説明する。
【０１０９】
まず、図９を用いて、原稿読取制御の流れを説明する。図９でのスタートは、操作パネル３で液晶表示部３１を押下する等により、必要に応じて濃度や用紙等、各種設定がなされた後、スタートキー３４が押下され、複写が開始された時点である。
【０１１０】
スタートキー３４が押下されると、本体制御部７は、原稿搬送制御部１０に原稿の搬送を行うべき指示を与える。これにより、原稿搬送制御部１０は、原稿搬送モータ１８を動作させ、原稿の搬送を行う（ステップ♯１）。又、本体制御部７は、読取制御部２０にも読み取りを行うべき指示を与える。これを受けて、読取制御部２０は各移動枠を移動させ、ランプ２６を点灯させ、イメージセンサ２７等を駆動させる。これにより、読取位置に到達した原稿は、主走査方向に１ラインずつ１ページ分読み取られる（ステップ♯２）。
【０１１１】
画像読取部２から出力された画像データに基づき、例えば、画像処理部８がプレビュー画像用の画像データを生成する（ステップ♯３）。この時、第１の画像Ｄ用の画像データもあわせて生成されてもよい。生成されたプレビュー画像用の画像データは、操作パネル３に送られ、操作パネル３の液晶表示部３１にプレビュー画像が表示される（ステップ♯４）。
【０１１２】
又、原稿の新たなページが読み取られたので、表示制御部３０は、液晶表示部３１での原稿読取状況表示領域Ｆ２と印刷進行状況表示領域Ｆ３の表示を変更する（ステップ♯５）。例えば、表示制御部３０は、新たに読み取ったページにあたる第１の画像Ｄと第２の画像Ｐを新たに液晶表示部３１に表示させる。表示するスペースが無ければ、表示制御部３０は、最も先に（前に）読み取られた原稿の第１の画像Ｄや第２の画像Ｐを消去する。即ち、表示入力部（操作パネル３）は、読取順に並列して表示した複数の第１の画像Ｄのうち、先に読み取られた第１の画像Ｄから消してゆく（図８（ｂ）参照、印刷が完了した１ページ目の第１の画像Ｄが消えている）。又、表示制御部３０は、新たに読み取ったページの第１の画像Ｄや第２の画像Ｐを表示する。
【０１１３】
次に、原稿搬送制御部１０は、原稿検知センサ１７の出力を確認する等により、読み取るべき原稿があるかを確認する（ステップ♯６）。もし、読み取るべき原稿が無ければ、原稿搬送制御部１０は、原稿の搬送を終了し、読み取るべき原稿がない旨のデータを読取制御部２０や本体制御部７に送信し、その結果、原稿読取制御は終了する（エンド）。
【０１１４】
一方、読み取るべき原稿が有れば、表示制御部３０は、液晶表示部３１に表示された第１の画像Ｄの押下があり、原稿読取の中止の指示が有ったかを確認する（ステップ♯７）。第１の画像Ｄが押下され、原稿読取の中止指示があれば（ステップ♯７のＹｅｓ）、表示制御部３０は、本体制御部７に原稿読取の中止指示があった旨のデータを送信し、これを受け、本体制御部７は、原稿搬送制御部１０と読取制御部２０に原稿読取の中止指示を送信する。これにより、原稿読取制御は終了する（読み取りが中止される）（エンド）。一方、原稿読取の中止指示が無ければ（ステップ♯７のＮｏ）、例えば、ステップ♯１に戻り、次の原稿の読み取りが行われる。
【０１１５】
次に、図１０を用いて、印刷制御の流れを説明する。図１０でのスタートは、操作パネル３で液晶表示部３１を押下する等により、濃度や用紙等、各種設定がなされた後、スタートキー３４が押下され、複写が開始された時点である。
【０１１６】
スタートキー３４が押下されると、給紙、用紙搬送が行われる。具体的には、給紙部４の給紙ローラ４１や、搬送路５の搬送ローラ対５２が回転する（ステップ♯２１）。次に、原稿搬送部１や画像読取部２を用いて生成された原稿の画像データは、画像処理部８に送られ、印刷のための画像処理が画像データに施される（ステップ♯２２）。その後、本体制御部７は、画像処理後の画像データに基づき、露光装置６３による露光や、現像装置６４による現像等のトナー像の形成を行わせる（ステップ♯２３）。
【０１１７】
その後、本体制御部７は、トナー像の転写や定着部６ｂによる用紙へのトナー像の定着を行わせる（ステップ♯２４）。そして、本体制御部７は、１ページ分の印刷完了を認識し、印刷が完了した第２の画像Ｐの表示の消去を表示制御部３０に指示する（ステップ♯２５）。即ち、表示入力部（操作パネル３）は、印刷が完了したページの第２の画像Ｐの表示を消す。これにより、印刷が完了したページの第２の画像Ｐは表示されなくなる。尚、給紙から、１ページの印刷に要する時間は予め定まっているので、本体制御部７は、給紙開始からの時間をカウントして印刷が完了したか否かを判断してもよい。又、用紙排出部近傍に用紙の到着、通過を検知するセンサ（例えば、光センサ、不図示）を設けておき、センサの出力に基づき、本体制御部７は、用紙が機外に排出されたことにより、１ページ分の印刷が完了したと認識しても良い。
【０１１８】
そして、本体制御部７は更に印刷すべき画像データがあるかを確認する（ステップ♯２６）もし、更に印刷すべき画像データが無ければ（ステップ♯２６のＮｏ）、本体制御部７は、画像形成部６ａ、画像処理部８等の動作を停止させ、印刷を終了させる（エンド）。まだ、印刷すべき画像データが有れば（ステップ♯２６のＹｅｓ）、本体制御部７は、次に印刷するページが印刷中止の指示があったページかを確認する（ステップ♯２７）。例えば、使用者による第２の画像Ｐの押下があれば、表示制御部３０から本体制御部７に向けて、印刷を中止する（印刷を行わない）ページを示すデータが送信される。これにより、本体制御部７は、次に印刷するページに対し印刷中止があったか否かを確認できる。
【０１１９】
もし、次に印刷するページが印刷中止の指示があったページであれば（ステップ♯２７のＹｅｓ）、本体制御部７は、印刷中止の指示があったページの画像データを破棄する等、印刷中止の指示があったページの印刷を行わせない（ステップ♯２８）。その後、更に次のページに対し、印刷中止の指示が無いかを確認するため、ステップ♯２７に戻る。一方、次に印刷するページに印刷中止の指示が無ければ（ステップ♯２７のＮｏ）、例えば、ステップ♯２１に戻り、印刷が行われる。
【０１２０】
このようにして、本実施形態の構成によれば、全ての原稿の読み取りを完了する前に、プレビュー画像が表示され、画像形成部６ａは、全ての原稿の読み取りを完了する前かつ全ページ分のプレビュー画像を表示する前に、画像形成（印刷）を行うので、原稿読取、プレビュー画像の表示、印刷が並列的に行われる。これにより、原稿の読取開始から印刷完了までに要する時間を短くすることができる。従って、複写開始から終了するまでの使用者の待ち時間を減らすことができる。又、１ジョブに要する時間が短くなり、画像形成装置（例えば、複写機１００）の実質的な生産性が向上する。
【０１２１】
又、原稿読取、プレビュー画像の表示、印刷が並列的に行われるところ、プレビュー画像を見ながら印刷でき、しかも、読取中止の指示がなされた場合、画像読取部２は、原稿読取を中止する。これにより、必要のない原稿の読取や、必要のない原稿の複写が実行されない。従って、エネルギー、資源の無駄を無くすことができる。
【０１２２】
又、表示入力部（操作パネル３）での表示領域には限界があり、原稿の枚数が多数に及ぶ場合（例えば、十数枚以上）、第１の画像Ｄを表示しきれない場合がある。或いは、表示できたとしても、１つの第１の画像Ｄが微少となり、視認し難くなる場合がある。しかし、先に読み取られた第１の画像Ｄから消してゆくので、第１の画像Ｄは、ある程度の大きさを確保でき、第１の画像Ｄを指定する入力を確実に行うことができる。従って、使用者にとっての操作性が高くなる。又、読み取った原稿と読み取っている原稿とで、第１の画像Ｄの形状がことなる。これにより、使用者は、原稿の読み取りの進行状況を容易に把握できる。又、読み取っている原稿を示す第１の画像Ｄは、読み取りが進むごとに矩形に近づくように形状が変化するので、使用者は、原稿の読み取りの進行状況を容易に、詳しく把握できる。
【０１２３】
又、原稿読取、プレビュー画像の表示、印刷が並列的に行われるところ、プレビュー画像を見ながら印刷でき、しかも、印刷中止の指示がなされたページについては、画像形成部６ａは、印刷を行わない。これにより、必要のないページの複写が実行されない。従って、エネルギー、資源の無駄を無くすことができる。又、印刷するページを飛ばすだけであり、印刷の流れ自体は止めなくてよいので、複写を最後まで完遂することができる。
【０１２４】
又、表示入力部（操作パネル３）での表示領域には限界があり、原稿の枚数が多数に及ぶ場合（例えば、十数枚以上）、第２の画像Ｐを表示しきれない場合がある。或いは、表示できたとしても、１つの第２の画像Ｐが微少となり、視認し難くなる場合がある。しかし、印刷が完了したページの第２の画像Ｐは消されるので、第２の画像Ｐは、ある程度の大きさを確保でき、第２の画像Ｐを指定する入力を確実に行うことができる。従って、使用者にとっての操作性が高くなる。又、印刷中のページと印刷待ちのページとで、第２の画像Ｐの形状が異なる。これにより、使用者は、印刷の進行状況を容易に把握できる。又、印刷を行っているぺージを示す第２の画像Ｐは、印刷が進むごとに形状が小さくなるように形状が変化するので、使用者は、印刷の進行状況を容易に、詳しく把握できる。又、第１の画像Ｄの並列表示と、第２の画像Ｐの並列表示は同時に表示される。これにより、使用者は、原稿の読み取りの進行状況と、印刷の進行状況を同時に把握することができる。
【０１２５】
又、表示入力部（例えば、操作パネル３）は、第２の画像Ｐを複数指定する入力を受け付けるので、複数ページの指定を同時に行うことができる。これにより、使用者は効率よく不要なページを指定することができ、操作性を高めることができる。又、表示入力部は、プレビュー画像を第１の画像Ｄ、第２の画像Ｐとして表示するので、原稿読取を中止すべきか、及び、印刷を中止すべきページを視認することができる。これにより、使用者は、原稿読取や印刷中止をすべきか否かを容易に判断することができる。
【０１２６】
以上、本発明の実施形態を説明したが、本発明の範囲はこれに限定されず、発明の主旨を逸脱しない範囲で種々の変更を加えて実施することができる。
【産業上の利用可能性】
【０１２７】
本発明は、スキャナ等の画像読取部２や、プレビュー画像を表示する表示部を備えた画像形成装置に利用可能である。
【符号の説明】
【０１２８】
１      原稿搬送部                      ２      画像読取部
３      操作パネル（表示入力部）        ６ａ    画像形成部
１００  複写機（画像形成装置）          Ｄ      第１の画像
Ｐ      第２の画像
【図１】
2011114845.tif 000003
【図２】
2011114845.tif 000004
【図３】
2011114845.tif 000005
【図４】
2011114845.tif 000006
【図５】
2011114845.tif 000007
【図６】
2011114845.tif 000008
【図７】
2011114845.tif 000009
【図８】
2011114845.tif 000010
【図９】
2011114845.tif 000011
【図１０】
2011114845.tif 000012